(57)【要約】無線システムを介してマルチメディアブロードキャストおよびマルチキャストサービス（ＭＢＭＳ）を配信するための方法が提供される（Ｓ６、Ｓ４）。この方法により、全体的なシステムの能力を向上させるために、無線インターフェイスを介して送るページングメッセージの数が最適化される。ＭＢＭＳのアクティブなＵＥ（Ｍｏｂｉｌｅ  Ｓｔａｔｉｏｎ  Ｕｓｅｒ  Ｅｑｕｉｐｍｅｎｔ）により、その位置（Ｓ２、Ｓ３）が、システムが送る情報に基づいて、セル単位でトラッキングされる。
2006516070.tif 000002
【特許請求の範囲】
【請求項１】
無線システムを介してマルチメディアブロードキャストおよびマルチキャストサービス（ＭＢＭＳ）を配信するための方法であって、
ａ）所与の領域内に存在する加入者ユニット（ＵＥ）の数を検出するステップと、
ｂ）ステップ（ａ）で検出したＵＥの前記数を所与のしきい値と比較するステップと、
ｃ）ステップ（ａ）で得たＵＥの前記数が前記しきい値より大きい場合、ＵＥはセル識別番号（ＩＤ）をトラッキングする必要がないというフラグを設定するステップと、
ｄ）ロケーションエリア／ルーティングエリア（ＡＬ／ＲＡ）ページングを使用して、マルチキャスト更新をＵＥに配信するステップと
を備えることを特徴とする方法。
【請求項２】
前記システムはステップ（ｄ）の完了後、ステップ（ａ）に戻ることを特徴とする請求項１に記載の方法。
【請求項３】
前記領域はロケーションエリア／ルーティングエリア（ＬＡ／ＲＡ）であることを特徴とする請求項１に記載の方法。
【請求項４】
無線システムを介してマルチメディアブロードキャストおよびマルチキャストサービス（ＭＢＭＳ）を配信するための方法であって、
ａ）所与の領域内に存在する加入者ユニット（ＵＥ）の数を検出するステップと、
ｂ）ステップ（ａ）で検出したＵＥの前記数を所与のしきい値と比較するステップと、
ｃ）ステップ（ａ）で得たＵＥの前記数が前記しきい値より小さい場合、ＵＥに対するセル識別番号（ＩＤ）をトラッキングするためにフラグを設定するステップと、
ｄ）単一セルページングを使用して、マルチキャスト更新をＵＥに配信するステップと
を備えることを特徴とする方法。
【請求項５】
前記システムはステップ（ｄ）の完了後、ステップ（ａ）に戻ることを特徴とする請求項４に記載の方法。
【請求項６】
前記領域はロケーションエリア／ルーティングエリア（ＬＡ／ＲＡ）であることを特徴とする請求項４に記載の方法。
【請求項７】
セル変更を監視するために無線システム内の加入者ユニット（ＵＥ）で使用する方法であって、
ａ）前記ＵＥが所与のセル内のマルチキャストサービスをアクティブにする備えると、
ｂ）その後、前記ＵＥが報知チャネルおよびページングチャネルを聴取するステップと
を備え、その後、新しいページメッセージが存在する場合、前記ＵＥはセルＩＤを更新し、前記システムにアクセスし、セル位置情報を更新することを特徴とする方法。
【請求項８】
前記ＵＥは、マルチキャストサービスをアクティブにした後、前記所与のセル内でアイドルモードに復帰することを特徴とする請求項７に記載の方法。
【請求項９】
ステップ（ｂ）は、新しいメッセージが存在しない場合、ステップ（ａ）に戻ることを含むことを特徴とする請求項７に記載の方法。
【請求項１０】
新しいメッセージが存在しない場合、ステップ（ｂ）で前記ＵＥはさらに新しいセルＩＤおよびトラックセルＩＤを識別することを特徴とする請求項７に記載の方法。
【請求項１１】
無線システムを介してマルチメディアブロードキャストおよびマルチキャストサービス（ＭＢＭＳ）を配信するための装置であって、
所与の領域内に存在する加入者ユニット（ＵＥ）の数を検出する手段と、
前記検出する手段によって検出したＵＥの前記数を所与のしきい値と比較する手段と、
検出したＵＥの前記数が前記しきい値より大きい場合、ＵＥはセル識別番号（ＩＤ）をトラッキングする必要がないというフラグを設定する手段と、
ロケーションエリア／ルーティングエリア（ＡＬ／ＲＡ）ページングを使用して、マルチキャスト更新をＵＥに配信する手段と
を含むことを特徴とする装置。
【請求項１２】
無線システムを介してマルチメディアブロードキャストおよびマルチキャストサービス（ＭＢＭＳ）を配信するための装置であって、
所与の領域内に存在する加入者ユニット（ＵＥ）の数を検出する手段と、
前記検出する手段によって検出したＵＥの前記数を所与のしきい値と比較する手段と、
検出したＵＥの前記数が前記しきい値より小さい場合、前記ＵＥに対するセル識別番号（ＩＤ）をトラッキングするためにフラグを設定する手段と、
単一セルページングを使用して、マルチキャスト更新をＵＥに配信する手段と
を含むことを特徴とする装置。
【請求項１３】
セル変更を監視するために無線システム内の加入者ユニット（ＵＥ）で使用する装置であって、
所与のセル内のマルチキャストサービスをアクティブにする手段を有するＵＥと、
その後、報知チャネルおよびページングチャネルをリスンする手段と
を含み、前記ＵＥは、その後、新しいページメッセージが存在する場合、セルＩＤを更新し、システムにアクセスし、セル位置情報を更新する手段を含むことを特徴とする装置。
【請求項１４】
前記ＵＥは、マルチキャストサービスをアクティブにした後、前記所与のセル内でアイドルモードに復帰する手段を含むことを特徴とする請求項１３に記載の装置。
【請求項１５】
前記リスンする手段は、新しいメッセージが存在しない場合、前記アクティブにする手段に戻る手段を含むことを特徴とする請求項１３に記載の装置。
【請求項１６】
前記ＵＥは、新しいメッセージが存在しない場合、さらに新しいセルＩＤおよびトラックセルＩＤを識別する手段を含むことを特徴とする請求項１３に記載の装置。
【発明の詳細な説明】
【技術分野】
【０００１】
本発明は、無線通信の分野に関する。より詳細には、本発明は、無線システムによるマルチメディア／ブロードキャストおよびマルチキャストサービスに関する。
【背景技術】
【０００２】
マルチメディアブロードキャストおよびマルチキャストサービス（ＭＢＭＳ、Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）の開発は、加入者ユニット（ＵＥ）のモビリティのために、こうしたサービスの配信に際していくつかの技術的な困難に直面している。ＵＥは、対応するパケットデータプロトコル（ＰＤＰ、ｐａｃｋｅｔ  ｄａｔａ  ｐｒｏｔｏｃｏｌ）をアクティブにすることによって、マルチキャストサービスを開始し、肯定応答を受信する。次いで、ＵＥは、マルチキャストサービスのうちの１つにおいてアクティブでない場合、「アイドル」動作モードに復帰する。ＵＥは、「アイドル」モードにある間、そのページングチャネルをリスン（listen）することによって、サービス（たとえば、音声呼）を受信することができる。システムでは通常、あるカバレッジエリア（ｃｏｖｅｒａｇｅ  ａｒｅａ）、すなわちロケーションエリア（ＬＡ、ｌｏｃａｔｉｏｎ  ａｒｅａ）またはルーティングエリア（ＲＡ、ｒｏｕｔｉｎｇ  ａｒｅａ）内ではＵＥの移動が把握されない。したがって、ＵＥを位置決めするためには、システムはそのＬＡまたはＲＡを含む複数のセル内でページングを行わなければならない。マルチキャストサービスに関するいくつかの提案では、マルチキャストサービスの配信のためにユーザ（ＵＥ）を位置決めするのに、ページング機構が使用されている。この従来技術の解決策は、簡便ではあるが、ページングトラフィックの顕著な増大をもたらす。
【０００３】
簡便な一代替方法は、システムのＳＧＳＮ（ｓｅｒｖｉｎｇ  ｇｅｎｅｒａｌ  ｐａｃｋｅｔ  ｒａｄｉｏ  ｓｅｒｖｉｃｅ  ｓｕｐｐｏｒｔ  ｎｏｄｅ、サービング汎用パケット無線サービスサポートノード）に、特定のＭＢＭＳマルチキャストサービスと関連して使用すべきグループ識別番号を割り当てさせることである。ページングプロセスにおける移動局（ｍｏｂｉｌｅ  ｓｔａｔｉｏｎ）の個別識別を使用するのではなく、グループ識別を使用してアクティブな加入者をページングする。マルチキャストグループ識別の使用により、ページングトラフィックの量は、その特定のＭＢＭＳマルチキャストサービスを使用するアクティブな加入者の数の大きさで割った程度まで減少する。
【０００４】
マルチキャストグループ識別を使用するのに加えて、ここで提案するセルトラッキング機構を使用することによって、ページングトラフィックはさらに減少する。これはページングエリアを１つのセルにまで狭めるもので、これによってページングトラフィックは、ＬＡ／ＲＡを含むセルの数大きさで割った程度まで減少する。ＵＥは、マルチキャストサービスにおいてアクティブで、「アイドル状態」にある間、セルの変化を監視している。基地局（ｂａｓｅ  ｓｔａｔｉｏｎ）がブロードキャストする「セル識別」に何か変化があった場合、ＵＥはその現在位置（すなわち、セル）を更新し、これにより、システムが複数のセル（ＬＡ／ＲＡ）にわたってＵＥをページングする必要が回避される。
【発明を実施するための最良の形態】
【０００５】
本発明では、無線システムを介するＭＢＭＳの配信に対して解決策を導入し、無線インターフェイスを介して送信されるページングメッセージの数を最適化し、これにより、全体的なシステム能力を向上させる。本発明の主な特徴は、特定のＭＢＭＳマルチキャストサービスをアクティブにする無線加入者を区別するためのグループ識別番号の使用と、必要に応じて、ＵＥ内でセル位置トラッキング機構を呼び出すことである。セル位置トラッキング機構により、アクティブなＭＢＭＳマルチキャスト加入者は、システムが送信する情報に基づいて、その現在位置をセル単位でトラッキングすることができるようになる。セルトラッキング機構の呼び出しは、いくつかの方法で（たとえば、報知チャネル内でフラグを使用して、またはＭＢＭＳアクティベーション応答メッセージ内でフラグを使用して）達成される。
【０００６】
図１を参照すると、システムは、ステップＳ１で、ＬＡ／ＲＡ内部のアクティブなマルチキャストユーザの数を決定する。ステップＳ２で、数Ｎを所与のしきい値と比較する。アクティブなマルチキャストユーザの数がしきい値より大きい場合、このルーチンはステップＳ３に分岐して、ＵＥはセル識別番号（ＩＤ）をトラッキングする必要がないというフラグ（ＢＢ）を設定する。この後、ステップＳ４で、システムはＬＡ／ＲＡページングを用いてマルチキャスト更新を配信する。次いで、プログラムはステップＳ１に戻って、アクティブなマルチキャストユーザの数を監視する。
【０００７】
ステップＳ２に戻って、ＬＡ／ＲＡ内部のマルチキャストユーザの数Ｎがしきい値よりも小さい場合は、ルーチンは分岐し、ステップＳ５で、ＵＥはセルＩＤをトラッキングすることになっていることを示すフラグを設定する。この後、プログラムは、マルチキャスト更新が単一セルページングを使用して配信されるステップＳ６に進む。次いでプログラムはステップＳ１に戻り、ステップＳ４からステップＳ１に戻った後は、ステップＳ１はこれまで説明したように機能する。
【０００８】
セルトラッキング機構をアクティブにするようにネットワークから指示を受け取ると、マルチキャスト加入者のＵＥは、そのサービスをアクティブにするが、新しいセルＩＤに関して報知チャネルを監視する。ＵＥは、報知チャネルを介して受け取るセル識別に何らかの変化を検出した場合、位置更新手続きを開始して、ＵＴＲＡＮ（ｕｎｉｖｅｒｓａｌ  ｔｅｒｒｅｓｔｒｉａｌ  ｒａｄｉｏ  ａｃｃｅｓｓ）、およびコアネットワーク（Ｃｏｒｅ  ｎｅｔｗｏｒｋ）にあるＳＧＳＮ（ｓｕｐｐｏｒｔｉｎｇ  ｎｏｄｅ、サポーティングノード）においてセル位置情報を更新する。ＬＡ／ＲＡ内部の最新のセル位置をトラッキングすることにより、マルチキャストグループに対する新しいトラフィックのたびに、システムはそのＬＡ／ＲＡの全体にわたってＵＥをページングする必要がなくなる。
【０００９】
システムは、単に、ＵＥが存在すると報告された最後のセル内でＵＥをページングすればよいのである。システムは、そのＵＥおよび他のＵＥをそのセルまたはＬＡ／ＲＡ内でページングするのに、特別なグループ識別（ＩＤ）を使用する。このグループ識別は、ＵＥがアクティブな加入者となっているマルチキャストサービスに関連付けられている。グループ識別（ＩＤ）は、サービスがアクティブになるとＵＥに割り当てられる。システムは、セル単位の位置更新機構をトリガする一方で、アクセスチャネル上で受け取るセル位置更新の数を最適化している。すなわち、ページングトラフィックを減らしても、アクセスチャネル上の位置更新の数が劇的に増加する結果、全体的なシステムのパフォーマンスが不利な影響を受けないようにすべきである。このため、システムは、各ＬＡ／ＲＡ内部でマルチキャストサービスにかかわるＵＥの数（Ｎ）をトラッキングする。アクティブなマルチキャストＵＥの数が、構成可能なしきい値（Ｔ）より小さい場合、システムは、報知チャネル上のセルトラッキングフラグを設定することによってセル位置トラッキング機構をアクティブにする。（Ｎ＞Ｔ）である場合、フラグは設定されないままとなり、システムは、新しいマルチキャストトラフィックのたびに、ＬＡ／ＲＡの全体にわたってＵＥをページングする。
【００１０】
本発明の目的は、ＵＥにセル識別の変化をトラッキングさせ、マルチキャストサービスのアクティベーションに関連付けられた位置更新を呼び出すことによって達成される。次いで、システムはマルチキャスト加入者にページングするために特別なグループ識別を割り当てる。さらに、システムは、ＬＡ／ＲＡ内部で、アクティブなマルチキャストサービス加入者の数をトラッキングする。その上、図１およびこれに付随する説明に述べたようにマルチキャストサービス通知を配信するために、セル位置トラッキング機構を呼び出すか、あるいはＬＡ／ＲＡページング機構を使用するかをシステムが決定するための機構が設けられている。
【００１１】
ＵＥにおける動作は図２に示す通りである。ステップＳ１で、ＵＥは、セル「Ｘ」などのセル内でマルチキャストサービスをアクティブにする。この後、ステップＳ２で、ＵＥはセルＸ内の「アイドル」モードに復帰する。ステップＳ３で、ＵＥは報知チャネルおよびページングチャネルをリスンし、ステップＳ４で、ＵＥは新しいページメッセージがあるかどうかを判断する。新しいページメッセージが存在する場合、ルーチンはステップＳ５に分岐して、このときＵＥは、セルＩＤを所与の識別子（与えられた例ではこの識別子をＹと表記する）に設定すること、システムにアクセスすること、およびセル位置情報を更新することを含むセル更新手続きを開始する。新しいサービスが提供されない場合、ＵＥはステップＳ３に戻って、報知チャネルおよびページングチャネルのリスンを続ける。
【００１２】
ステップＳ４に戻って、新しいページメッセージが存在しない場合、ＵＥはステップＳ６に分岐して、新しいセル識別番号が存在し、新しいトラッキングセルＩＤがオンかどうか判断する。その答えが「はい」である場合、ルーチンはステップＳ５に分岐して、上で述べた動作を実行する。新しいセルＩＤがなく、トラッキングセルＩＤがオンの場合、ルーチンはステップＳ３に分岐して、報知チャネルおよびページングチャネルを聴取し続ける。
【図面の簡単な説明】
【００１３】
【図１】本発明の動作方法を記述する流れ図である。
【図２】本発明の方法をさらに詳細に説明する流れ図である。
【図１】
2006516070.tif 000003
【図２】
2006516070.tif 000004
【手続補正書】
【提出日】平成16年10月6日(2004.10.6)
【手続補正１】
【補正対象書類名】明細書
【補正対象項目名】００１２
【補正方法】変更
【補正の内容】
【００１２】
ステップＳ４に戻って、新しいページメッセージが存在しない場合、ＵＥはステップＳ６に分岐して、新しいセル識別番号が存在し、新しい追跡セルＩＤがオンかどうか判断する。その答えが「はい」である場合、ルーチンはステップＳ５に分岐して、上で述べた動作を実行する。新しいセルＩＤがなく、追跡セルＩＤがない場合、ルーチンはステップＳ３に分岐して、報知チャネルおよびページングチャネルを聴取し続ける。
【手続補正２】
【補正対象書類名】図面
【補正対象項目名】図２
【補正方法】変更
【補正の内容】
【図２】
2006516070.tif 000005
【国際調査報告】
2006516070.tif 000006